(57)【特許請求の範囲】
【請求項１】
本体部と係止部とを有し、非腐食性材料からなる配筋用スペーサであって、
前記本体部は、鉄筋の必要かぶり厚さに対応した高さを有した柱状部材からなり、
前記係止部は、前記本体部の上面から突出するように当該上面に立設された一対の鉤型片を有し、前記鉄筋に係止可能であるとともに、前記鉄筋の断面よりも大きな断面積を有した空間を形成していて、
前記鉤型片は、上端部が前記本体部の中心側に屈曲しているとともにその先端が上端よりも低くなるように形成されており、
前記鉤型片の先端同士の間には、前記鉄筋よりも小さな幅の隙間が形成されていることを特徴とする、配筋用スペーサ。
【請求項２】
前記本体部が、モルタル製のブロックであることを特徴とする、請求項１に記載の配筋用スペーサ。  
【請求項３】
本体部と係止部とを有し、非腐食性材料からなる配筋用スペーサを利用する配筋方法であって、
ひびわれ制御用鉄筋を仮置きする仮置工程と、
前記ひびわれ制御用鉄筋の上方において構造鉄筋を組み立てる組立工程と、
前記構造鉄筋の下方において前記ひびわれ制御用鉄筋を配筋する配筋工程と、を備え、
前記本体部は、鉄筋の必要かぶり厚さに対応した高さを有した柱状部材からなり、
前記係止部は、前記本体部の上面から突出していて、前記鉄筋に係止可能であるとともに、前記鉄筋の断面よりも大きな断面積を有した空間を形成しており、
前記仮置工程において前記配筋用スペーサを横に倒した状態で前記ひびわれ制御用鉄筋に係止させ、
前記配筋工程において、前記ひびわれ制御用鉄筋を引き上げて前記配筋用スペーサを立設させることにより、前記配筋用スペーサの上面に前記ひびわれ制御用鉄筋を配筋することを特徴とする、配筋方法。
【発明の詳細な説明】
【技術分野】
【０００１】
本発明は、配筋用スペーサおよび配筋方法に関する。
【背景技術】
【０００２】
構造鉄筋は、腐食防止を目的として、コンクリート構造物の表面から所定のかぶり厚さを確保した位置に配筋する必要がある。
かぶりコンクリート部分は、品質確保の観点から金属等が含まれないように形成するのが一般的であるが、コンクリート構造物の表層部のひびわれ防止を目的として、かぶりコンクリート部分に細径の鉄筋（ひびわれ制御用鉄筋）を配筋する場合がある。
【０００３】
このひびわれ制御用鉄筋も、構造鉄筋と同様に、腐食防止を目的としてコンクリート構造物の表面から所定のかぶり厚さを確保した位置に配筋する必要がある。
そのため、コンクリート構造物を構築する際には、鉄筋と型枠との間にスペーサを設置して、必要なかぶり厚さを確保するのが一般的である。
【０００４】
構造鉄筋およびひびわれ制御用鉄筋のように、鉄筋が２段配筋されるコンクリート構造物では、２段配筋用のスペーサが利用されている。
２段配筋用のスペーサとしては、例えば、特許文献１に示すように、下段筋を載置可能に形成されたモルタル部と、上段筋を載置可能に形成された鋼線加工部とで構成された上下筋スペーサがある。
また、特許文献２には、鉄筋を載置可能に形成された鉄筋用スペーサであって、複数段積み重ねることが可能に形成されたものが開示されている。
【先行技術文献】
【特許文献】
【０００５】
【特許文献１】特開２０１１−１２５３０号公報
【特許文献２】実用新案登録第３１６７９９５号公報
【発明の概要】
【発明が解決しようとする課題】
【０００６】
従来のスペーサを利用して２段配筋を行う場合には、下段鉄筋（ひびわれ制御用鉄筋）を先組みする必要がある。下段鉄筋を先組みすると、上段鉄筋（構造鉄筋）の組立作業において、下段鉄筋の存在が障害となってしまう。
また、上段鉄筋の組み立て作業は、下段鉄筋に損傷やずれ等が生じることがないように、慎重に行う必要がある。
【０００７】
このような観点から、本発明は、２段配筋を行う場合において、後組みされる鉄筋（上段の鉄筋）の配筋作業を簡易に行うことを可能とした配筋用スペーサおよび配筋方法を提案することを課題とする。
【課題を解決するための手段】
【０００８】
前記課題を解決するために、本発明の配筋用スペーサは、本体部と係止部とを有し、非腐食性材料からなるものであって、前記本体部は、鉄筋の必要かぶり厚さに対応した高さを有した柱状部材からなり、前記係止部は、前記本体部の上面から突出するように当該上面に立設された一対の鉤型片を有し、前記鉄筋に係止可能であるとともに、前記鉄筋の断面よりも大きな断面積を有した空間を形成していて、前記鉤型片は、上端部が前記本体部の中心側に屈曲しているとともにその先端が上端よりも低くなるように形成されており、前記鉤型片の先端同士の間には、前記鉄筋よりも小さな幅の隙間が形成されていることを特徴としている。
【０００９】
かかる配筋用スペーサによれば、鉄筋を係止部に係止させた状態で立設させることで、所定のかぶり厚さを確保できるため、配筋作業を簡易に行うことができる。
また、当該配筋用スペーサを２段配筋の下段鉄筋に使用する場合には、上段鉄筋の配筋作業が終わるまで下段鉄筋に係止部を係止させた状態で横に倒しておくとよい。このようにすると、下段鉄筋の位置が下がるので、下段鉄筋が上段鉄筋の配筋作業の障害となることを防止できる。
【００１０】
また、配筋用スペーサを横に倒しておくと、下段鉄筋を床面に近接させることができるため、上段鉄筋の配筋作業時に作業員が下段鉄筋に載ってしまっても、損傷（曲げ等）やずれが生じる可能性が低い。
【００１２】
また、本発明の配筋用スペーサによれば、鉤型片の先端同士の隙間を通して鉄筋を鉤型片同士の間に位置させることで、配筋用スペーサを鉄筋に係止させることができる。
また、鉤型片の先端同士の隙間は、鉄筋径よりも小さな幅であるため、配筋用スペーサを一旦鉄筋に係止すると鉄筋から外れ難くなる。
なお、前記本体部は、モルタル製のブロックであるのが望ましい。
【００１３】
また、本発明の配筋方法は、ひびわれ制御用鉄筋を仮置きする仮置工程と、前記ひびわれ制御用鉄筋の上方において構造鉄筋を組み立てる組立工程と、前記構造鉄筋の下方においてひびわれ制御用鉄筋を配筋する配筋工程とを備えるものである。
前記仮置工程では、非腐食性材料からなり、前記ひびわれ制御用鉄筋の必要かぶり厚さに対応した高さを有する配筋用スペーサを、前記ひびわれ制御用鉄筋に横に倒した状態で係止させる。また、前記配筋工程では、前記ひびわれ制御用鉄筋を引き上げて前記配筋用スペーサを立設させることにより、前記配筋用スペーサの上面に前記ひびわれ制御用鉄筋を配筋する。
かかる配筋方法によれば、構造鉄筋の配筋作業時において、ひびわれ制御用鉄筋が障害となることを回避することができる。
【発明の効果】
【００１４】
本発明の配筋用スペーサおよび配筋方法によれば、２段配筋の鉄筋の組み立て作業時において、上段の鉄筋の配筋作業を簡易に行うことが可能となる。
【図面の簡単な説明】
【００１５】
【図１】本発明の実施形態のコンクリート構造物を示す断面図である。
【図２】配筋用スペーサの斜視図である。
【図３】（ａ）は配筋用スペーサを立設させた状態の正面図、（ｂ）は配筋用スペーサを横に倒した状態の正面図である。
【図４】本実施形態の配筋方法の仮置工程を示す図であって、（ａ）は正面図、（ｂ）は縦断図である。
【図５】同組立工程を示す図であって、（ａ）は正面図、（ｂ）は縦断図である。
【図６】同配筋工程を示す図であって、（ａ）は正面図、（ｂ）は縦断図である。
【発明を実施するための形態】
【００１６】
本発明の実施形態では、図１に示すように、構造鉄筋２のコンクリートかぶり部分（上段鉄筋用かぶり厚さｔ１内）に、所定のかぶり厚さ（下段鉄筋用かぶり厚さｔ２）を有してひびわれ制御用鉄筋３が配筋されてなる鉄筋コンクリート構造物１を施工する際に使用する配筋用スペーサと、この配筋用スペーサを利用した配筋方法について説明する。
【００１７】
配筋用スペーサ１０は、図２に示すように、本体部１１と係止部１２とを有している。本体部１１および係止部１２は、いずれも非腐食性材料からなる。
本体部１１は、下段鉄筋用かぶり厚さｔ２と同じ高さを有したモルタル製のブロックからなる。本実施形態の本体部１１は立方体（四角柱）であるが、本体部１１の形状は、底面が平坦で、かつ、ひびわれ制御用鉄筋３に必要かぶり厚さ（下段鉄筋用かぶり厚さｔ２）に対応した高さを有した柱状部材であれば限定されるものではなく、例えば直方体、円柱、錐台であってもよい。また、本体部１１を構成する材料は、モルタルに限定されるものではなく、例えば樹脂であってもよい。
【００１８】
係止部１２は、本体部１１の上面に突設された一対の鉤型片１３，１３を有する。なお、係止部１２は、鉄筋への係止が可能であれば必ずしも鉤型である必要はない。係止部１２は樹脂製であるが、係止部１２を構成する材料は非腐食性であれば樹脂に限定されない。
各鉤型片１３の外面（他方の鉤型片１３と反対側の面）が、本体部１１の側面の延長面になるべく近くなるように形成するのが望ましい。
【００１９】
係止部１２の一方の端部は本体部１１の上面から突出しており、他方の端部は本体部１１に埋め込まれている。
なお、係止部１２は、独立した二つの鉤型片１３，１３をそれぞれ本体部１１に埋め込むことにより形成してもよいし、Ｕ字状の部材の下部分（開口側と反対側の部分）を本体部１１に埋め込むことで形成してもよい。
【００２０】
鉤型片１３の一方の端部は、本体部１１の中心側（他方の鉤型片１３側）に屈曲していて、先端が上端よりも低くなるように形成されている。一対の鉤型片１３，１３の先端部は、下に向うに従って両者の間隔が狭まるように傾斜している。すなわち、一対の鉤型片１３，１３の先端部同士は、逆ハ字状を呈している。なお、本実施形態では、鉤型片１３の一方の端部が弧状に屈曲しているが、鉤型片１３の形状は限定されるものではなく、例えば鋭角に折れ曲がっていてもよい。
【００２１】
一対の鉤型片１３，１３の先端同士の間には、ひびわれ制御用鉄筋３の鉄筋径よりも小さな隙間１４が形成されている。
ひびわれ制御用鉄筋３は、この隙間１４を挿通させることで、図３（ａ）に示すように、鉤型片１３同士の間に挿入する。隙間１４の幅はひびわれ制御用鉄筋３の鉄筋径よりも小さいため、鉤型片１３同士の間に挿入されたひびわれ制御用鉄筋３は、上方に引き上げた場合であっても、鉤型片１３に係止されて、隙間１４から抜け出す可能性が低い。
【００２２】
以下、配筋用スペーサ１０を利用した配筋方法を説明する。
本実施形態では、コンクリート構造物１の下面側の鉄筋２，３（図１参照）を配筋する場合を例示する。
本実施形態の配筋方法は、仮置工程と、組立工程と、配筋工程とを備えている。
【００２３】
仮置工程は、図４（ａ）および（ｂ）に示すように、型枠上や地盤上等（以下、単に「床面４」という）にひびわれ制御用鉄筋３を仮置きする工程である。
仮置工程では、まず、図３（ａ）に示すように、配筋用スペーサ１０をひびわれ制御用鉄筋３に係止させる。
【００２４】
配筋用スペーサ１０を鉄筋３に係止させる際には、係止部１２の上方からひびわれ制御用鉄筋３を隙間１４に挿入する。一対の鉤型片１３，１３の先端部をひびわれ制御用鉄筋３の外周面を押し当てると、樹脂製の鉤型片１３が外側（他方の鉤型片１３と反対側）にしなることで隙間１４が広げられるため、ひびわれ制御用鉄筋３が隙間１４を通過する。
隙間１４を通過したひびわれ制御用鉄筋３は、係止部１２よって囲まれた空間に配置される。
【００２５】
次に、図３（ｂ）および図４（ａ）に示すように配筋用スペーサ１０を横に倒した状態でひびわれ制御用鉄筋３を仮置きする。
配筋用スペーサ１０を横に倒すことでひびわれ制御用鉄筋３が床面４に近い位置に配設される。
【００２６】
続いて、図４（ｂ）に示すように、配筋用スペーサ１０が係止されたひびわれ制御用鉄筋３ａと交差する方向のひびわれ制御用鉄筋３ｂをひびわれ制御用鉄筋の上に載置し、ひびわれ制御用鉄筋３を格子状に組み立てる。
【００２７】
組立工程は、図５（ａ）および（ｂ）に示すように、ひびわれ制御用鉄筋３の上方において構造鉄筋２を組み立てる工程である。
構造鉄筋２は、所定のピッチで格子状に配筋する。このとき、ひびわれ制御用鉄筋３は、床面４に近い位置に仮置きされているため、ひびわれ制御用鉄筋３と構造鉄筋２との間隔は、ひびわれ制御用鉄筋３を所定の位置に配筋した状態よりも大きくなる。
【００２８】
配筋工程は、図６（ａ）および（ｂ）に示すように、構造鉄筋２の下方においてひびわれ制御用鉄筋３を配筋する工程である。
配筋工程では、まず、仮置きされたひびわれ制御用鉄筋３を引き上げることで配筋用スペーサ１０を立設させる。
【００２９】
次に、配筋用スペーサ１０が立設した状態（配筋用スペーサ１０がひびわれ制御用鉄筋３にぶら下がった状態）でひびわれ制御用鉄筋３を降ろして、当該ひびわれ制御用鉄筋３を配筋用スペーサ１０の本体部１１の上面に載置する。ひびわれ制御を配筋用スペーサ１０に載置すると、ひびわれ制御用鉄筋３と床面４との間に下段鉄筋用かぶり厚さｔ２と同等の隙間が確保される。
【００３０】
以上、本実施形態の配筋方法によれば、構造鉄筋２の配筋時に、構造鉄筋２とひびわれ制御用鉄筋３との間に十分な隙間を確保することができるため、ひびわれ制御用鉄筋３が構造鉄筋２の配筋の支障となることがなく、作業を行いやすい。
また、構造鉄筋２の配筋時に横に倒しておいた配筋用スペーサ１０を立設させるのみで、ひびわれ制御用鉄筋を所定の位置に配筋することができるため、作業性に優れている。
【００３１】
配筋用スペーサ１０を横に倒すことで、配筋用スペーサ１０が係止されたひびわれ制御用鉄筋３は床面４に近接した状態となるため、構造鉄筋２を配筋する際に作業員等が誤ってひびわれ制御用鉄筋３上に載ったとしても、ひびわれ制御用鉄筋３が大きく曲がる等の不具合が生じる可能性が低い。
【００３２】
配筋用スペーサ１０によると、ひびわれ制御用鉄筋３から脱落し難くなるように構成されているため、配筋工程においてひびわれ制御用鉄筋３を引き上げても、配筋用スペーサ１０が落下することがない。
【００３３】
配筋用スペーサ１０は、配筋工程においてひび割れ制御用鉄筋３を持ち上げるのみで、自重によりひびわれ制御用鉄筋３を軸に回転し、所定の設置状態になるため、施工性に優れている。
しかも、配筋用スペーサ１０は、非腐食性材料により構成されているため、かぶりコンクリート内に配置しても腐食することがない。
また、配筋用スペーサ１０は、底面が平坦なため、立設させた際に安定している。
【００３４】
配筋用スペーサ１０を使用すると、構造鉄筋２のかぶりコンクリート内にひびわれ制御用鉄筋３が配筋されるので、コンクリート構造物１の表面のひびわれが制御され、耐久性の優れたコンクリート構造物１を構築することができる。
【００３５】
以上、本発明の実施形態について説明したが、本発明は、前述の実施形態に限られず、前記の各構成要素については、本発明の趣旨を逸脱しない範囲で、適宜変更が可能である。
本実施形態の配筋方法を利用して形成されるコンクリート構造物は限定されるものではなく、例えば、床版、フーチングや梁等に採用することができる。
【００３６】
前記実施形態では、ひびわれ制御用鉄筋を有するコンクリート構造物を施工する場合について説明したが、本発明の配筋用スペーサおよび配筋方法が適用可能なコンクリート構造物は、２段配筋された鉄筋コンクリート構造物であればよく、必ずしもひびわれ制御用鉄筋を有する必要はない。
【００３７】
前記実施形態では、下段の鉄筋（ひびわれ制御用鉄筋３）が、上段の鉄筋（構造鉄筋２）よりも細径の場合について説明したが、上下の鉄筋の鉄筋径は限定されるものではなく、例えば、同じ鉄筋径であってもよい。
【００３８】
配筋用スペーサ１０の係止部１２は、ひびわれ制御用鉄筋３（下段鉄筋）への係止が可能であれば、必ずしも一対の鉤型片１３，１３を有している必要はない。例えば、１本のフック状の部材であってもよい。
【符号の説明】
【００３９】
１    コンクリート構造物
２    構造鉄筋
３    ひびわれ制御用鉄筋
１０  配筋用スペーサ
１１  本体部
１２  係止部
１３  鉤型片
１４  隙間
ｔ１  上段鉄筋用かぶり厚さ
ｔ２  下段鉄筋用かぶり厚さ
【図１】
0006587802.tif 000002
【図２】
0006587802.tif 000003
【図３】
0006587802.tif 000004
【図４】
0006587802.tif 000005
【図５】
0006587802.tif 000006
【図６】
0006587802.tif 000007